(57)【要約】【課題】オイル漏れが万一発生した場合には、その旨の検出を迅速かつ適切に行なうことが可能な燃料オイル用サブタンク装置を提供する。【解決手段】蓋体４の外周縁を囲むようにしてオイルタンク３の上部外周縁３０に沿って設けられ、かつ蓋体４の上面上に漏出した燃料オイルが上部外周縁３０に向けて流れたときにこの燃料オイルを蓋体４上またはオイルタンク３上に塞き止めることが可能な起立壁３１と、この起立壁３１によって塞き止められた燃料オイルを上部外周縁３０の外方領域に流出させるように上部外周縁３０または起立壁３１に設けられた流出口３２と、この流出口３２から流出した燃料オイルを検出可能に設けられたオイルセンサ６と、を備えている。【選択図】  図４
2006275406.tif 000002
【特許請求の範囲】
【請求項１】
上部開口状のオイルタンクと、このオイルタンクの上部開口部を塞ぎ、かつこのオイルタンクに対する燃料オイルの流出入を行なわせるためのオイル流出入手段が設けられている蓋体と、を備えており、
燃料オイル貯留用のメインタンクからオイル燃焼器に到る燃料供給経路途中に設けられて使用される、燃料オイル用サブタンク装置であって、
前記蓋体の外周縁を囲むようにして前記オイルタンクの上部外周縁に沿って設けられ、かつ前記蓋体の上面上に漏出した燃料オイルが前記上部外周縁に向けて流れたときにこの燃料オイルを前記蓋体上または前記オイルタンク上に塞き止めることが可能な起立壁と、
この起立壁によって塞き止められた燃料オイルを前記上部外周縁の外方領域に流出させるように前記上部外周縁または前記起立壁に設けられた流出口と、
この流出口から流出した燃料オイルを検出可能に設けられたオイルセンサと、
を備えていることを特徴とする、燃料オイル用サブタンク装置。
【請求項２】
前記流出口から流出した燃料オイルを受けるためのオイル受け部材を備えており、
前記オイルセンサは、このオイル受け部材に受けられた燃料オイルを検出するように設けられている、請求項１に記載の燃料オイル用サブタンク装置。
【請求項３】
前記オイルタンクの周囲を覆うケース状または枠状の保護部材を備えている、請求項２に記載の燃料オイル用サブタンク装置。
【請求項４】
前記オイル受け部材は、このオイル受け部材により受けた燃料オイルを前記保護部材の内部に流入させるように設けられており、
前記保護部材は、前記オイル受け部材から内部に流入してきた燃料オイルを受ける底部と、この底部により受けた燃料オイルをこの保護部材の外部に排出させる排出口とを有している、請求項３に記載の燃料オイル用サブタンク装置。
【請求項５】
前記蓋体は、前記オイルタンクの上部開口部を塞ぐ板状部と、この板状部の外周縁を上向きに折り曲げて形成された追加の起立壁と、前記板状部の上面に漏出して前記追加の起立壁によって塞き止められた燃料オイルを前記オイルタンクの上部外周縁の起立壁に向けて進行可能とするスリットと、を有している、請求項１ないし４のいずれかに記載の燃料オイル用サブタンク装置。
【請求項６】
オイル燃焼器と、燃料オイル貯留用のメインタンクから前記オイル燃焼器に到る燃料供給経路途中に設けられた燃料オイル用サブタンク装置と、を備えている、燃焼装置であって、
前記燃料オイル用サブタンク装置として、請求項１ないし５のいずれかに記載の燃料オイル用サブタンク装置が用いられていることを特徴とする、燃焼装置。
【請求項７】
前記オイルセンサによってオイル検出がなされたときに、前記オイル燃焼器の燃焼駆動を停止させるとともに、その旨を報知手段により報知させる制御手段を備えている、請求項６に記載の燃焼装置。
【請求項８】
前記オイルセンサによってオイル検出がなされたときに、前記メインタンクから前記燃料オイル用サブタンク装置への燃料オイルの供給を遮断する遮断弁を備えている、請求項６または７に記載の燃焼装置。
【発明の詳細な説明】
【技術分野】
【０００１】
本発明は、たとえば給湯装置のオイル燃焼器に灯油や軽油などの燃料オイルを供給するような用途に用いられる燃料オイル用サブタンク装置、およびこれを備えた燃焼装置に関する。
【背景技術】
【０００２】
オイル燃焼器を備えた給湯装置においては、燃料オイル貯留用のタンク（メインタンク）をこの給湯装置とは別個に設置しておき、ポンプを利用して前記タンクから給湯装置に燃料オイルを供給させているのが一般的である。ただし、タンクからポンプによって汲み上げられた燃料オイルをオイル燃焼器に直接供給させるようにした場合、前記ポンプをオイル燃焼器に接近させて配置することができず、それらの距離が長くなる場合がある。このようにポンプとオイル燃焼器との距離が長くなると、ポンプの駆動に対して、オイル燃焼器に対する実際の燃料供給が正確に対応しない状態になり易い。したがって、燃料オイルの供給量制御によりオイル燃焼器の燃焼火力を精密に制御しようとする場合、あるいは燃焼火力を安定させたいような場合には、前記した構成はあまり好ましいものではない。
【０００３】
そこで、前記不具合を解消する手段として、メインタンクからオイル燃焼器までの燃料供給経路の途中に、サブタンクを設ける手段がある。この手段では、第１のポンプを利用してメインタンクからサブタンクに燃料オイルを供給させる。その一方、前記サブタンクからオイル燃焼器には、第２のポンプを利用して燃料オイルを供給させる。このようにすると、前記第２のポンプをオイル燃焼器に接近させて配置することができ、前記不具合が解消される。
【０００４】
しかしながら、従来においては、燃料オイル漏れが発生しないように最善の注意を払ってはいるものの、それでも燃料供給用機器の故障などに起因して、サブタンクに燃料オイル漏れを万一生じることが考えられる。これに対し、従来においては、そのようなサブタンクのオイル漏れが発生した場合に、これに迅速かつ的確に対処するための手段はとくに講じられていないのが実情であった。たとえば、特許文献１，２においては、燃焼器を備えたボイラなどにおいて、オイルセンサを利用して燃料オイル漏れの検出を行なう技術が提案されているものの、同文献に記載された技術は、サブタンクの存在をなんら考慮しておらず、サブタンク用のオイル漏れ対策手段として好適に用いることができない。また、従来の給湯装置としては、その底部付近にオイルセンサを設置しておき、このオイルセンサの設置箇所に燃料オイルが流れると、これが検出されるようにしたものもある。ところが、このような構成では、サブタンクに燃料オイル漏れが発生した場合に、漏れた燃料オイルが給湯装置の底部付近まで流れ落ちてからオイルセンサに到達するまでの期間は、オイル検出がなされない。これでは、燃料オイル漏れの発生時からその検出までに長時間を要し、給湯装置の広い領域が燃料オイルによって汚染される不具合を生じる。給湯装置をいわゆる逆燃式とし、オイル燃焼器を比較的高い高さに設置した場合には、これに対応してサブタンクも高い位置に設置することが好ましいが、このようにした場合にはサブタンクの下方に漏れる燃料オイルによってより広い領域が汚染されることとなり、前記した不具合は一層顕著となる。
【０００５】
【特許文献１】特開平１−１１１１３３号公報
【特許文献２】実開昭６３−１１６７４７号公報
【発明の開示】
【発明が解決しようとする課題】
【０００６】
本発明は、このような事情のもとで考え出されたものであって、オイル漏れが万一発生した場合には、その旨の検出を迅速かつ適切に行なうことが可能な燃料オイル用サブタンク装置、およびこれを備えた燃焼装置を提供することを、その課題としている。
【課題を解決するための手段】
【０００７】
上記の課題を解決するため、本発明では、次の技術的手段を講じている。
【０００８】
本発明の第１の側面により提供される燃料オイル用サブタンク装置は、上部開口状のオイルタンクと、このオイルタンクの上部開口部を塞ぎ、かつこのオイルタンクに対する燃料オイルの流出入を行なわせるためのオイル流出入手段が設けられている蓋体と、を備えており、燃料オイル貯留用のメインタンクからオイル燃焼器に到る燃料供給経路途中に設けられて使用される、燃料オイル用サブタンク装置であって、前記蓋体の外周縁を囲むようにして前記オイルタンクの上部外周縁に沿って設けられ、かつ前記蓋体の上面上に漏出した燃料オイルが前記上部外周縁に向けて流れたときにこの燃料オイルを前記蓋体上または前記オイルタンク上に塞き止めることが可能な起立壁と、この起立壁によって塞き止められた燃料オイルを前記上部外周縁の外方領域に流出させるように前記上部外周縁または前記起立壁に設けられた流出口と、この流出口から流出した燃料オイルを検出可能に設けられたオイルセンサと、を備えていることを特徴としている。
【０００９】
このような構成によれば、次のような効果が得られる。
【００１０】
すなわち、関連機器の故障などに起因して燃料オイル漏れが万一発生し、蓋体の上面上に燃料オイルが漏出すると、この燃料オイルは蓋体の外周縁に向けて流れるが、この外周縁はオイルタンクの起立壁によって囲まれており、この起立壁によって前記燃料オイルは塞き止められる。したがって、燃料オイルが蓋体やオイルタンクの外周縁の各所からそのまま下方に流れ落ちることはなく、オイルタンクの下方の広い領域が燃料オイルによって汚染されるといったことが適切に防止される。一方、前記起立壁によって塞き止められた燃料オイルは、オイルタンクの上部外周縁または起立壁に設けられた流出口からオイルタンクの上部外周縁の外方領域に流出するが、オイルセンサはこの流出した燃料オイルを検出する。したがって、蓋体上またはオイルタンク上に塞き止められていた燃料オイルは、流出口に集められてからオイルセンサに導かれることとなり、オイルセンサによる燃料オイルの検出を、迅速かつ正確に行なうことが可能となる。その結果、燃料オイルの検出に基づくオイル燃焼器の駆動停止、あるいはオイルタンクへの燃料オイルの供給停止といった対応措置も、迅速かつ的確に採ることができるという利点が得られる。
【００１１】
また、オイルタンクに対する燃料オイルの流出入を行なわせるためのオイル流出入手段は、蓋体に設けられているが、このオイル流出入手段の部分において燃料オイル漏れが生じると、蓋体上に漏出する可能性が高く、この燃料オイルは、その後オイルセンサに的確に導かれて検出される。したがって、実情に合致した燃料オイル漏れ検出を行なうことができるという効果も得られる。
【００１２】
本発明の好ましい実施の形態においては、前記流出口から流出した燃料オイルを受けるためのオイル受け部材を備えており、前記オイルセンサは、このオイル受け部材に受けられた燃料オイルを検出するように設けられている。
【００１３】
このような構成によれば、オイルセンサに対して燃料オイルが接触する時間を長くとり、またその量も多くすることが可能となり、燃料オイル検出の信頼性を高めることができる。
【００１４】
本発明の好ましい実施の形態においては、前記オイルタンクの周囲を覆うケース状または枠状の保護部材を備えている。
【００１５】
このような構成によれば、オイルタンクをオイル燃焼器に接近させて設けた場合に、このオイル燃焼器から進行してくる輻射熱を前記保護部材により遮断し、オイルタンクが高温に加熱されることを防止することが可能となる。したがって、オイルタンクをオイル燃焼器に接近させて設置するのに好適なものとなる。もちろん、前記保護部材は、オイルタンクの熱的保護を図るだけではなく、それ以外の機械的な保護などを図るのにも役立つ。
【００１６】
本発明の好ましい実施の形態においては、前記オイル受け部材は、このオイル受け部材により受けた燃料オイルを前記保護部材の内部に流入させるように設けられており、前記保護部材は、前記オイル受け部材から内部に流入してきた燃料オイルを受ける底部と、この底部により受けた燃料オイルをこの保護部材の外部に排出させる排出口とを有している。
【００１７】
このような構成によれば、保護部材を漏出燃料オイルのガイド部材として有効に利用しており、合理的である。また、前記保護部材の排出口から燃料オイルを排出させるようにすれば、この燃料オイルをたとえば燃料オイル回収用の容器に導くといったことも可能となり、漏出燃料オイルの処理が容易となる。
【００１８】
本発明の好ましい実施の形態においては、前記蓋体は、前記オイルタンクの上部開口部を塞ぐ板状部と、この板状部の外周縁を上向きに折り曲げて形成された追加の起立壁と、前記板状部の上面に漏出して前記追加の起立壁によって塞き止められた燃料オイルを前記オイルタンクの上部外周縁の起立壁に向けて進行可能とするスリットと、を有している。
【００１９】
このような構成によれば、蓋体の追加の起立壁は、この蓋体の板状部の外周縁に進行した燃料オイルを塞き止めて、オイルタンクの上部外周縁上に燃料オイルが直接進行することを阻止するために、燃料オイルが蓋体上およびオイルタンク上からそのまま下方に流れ落ちることをより確実に防止することが可能となる。前記追加の起立壁によって塞き止められた燃料オイルは、前記スリットを通過してオイルタンクの上部外周縁に向けて進行し、その後オイルセンサにより検出されることとなり、前記追加の起立壁が設けられたことに起因してオイルセンサの検出が困難になるといった不具合はない。また、蓋体の板状部の外周縁に折り曲げ形成された追加の起立壁を設ければ、蓋体の剛性が高められる効果も得られる。さらに、前記追加の起立壁をたとえばオイルセンサの取り付け用のブラケットとして機能させるといった便宜も図れることとなる。
【００２０】
本発明の第２の側面により提供される燃焼装置は、オイル燃焼器と、燃料オイル貯留用のメインタンクから前記オイル燃焼器に到る燃料供給経路途中に設けられた燃料オイル用サブタンク装置と、を備えている、燃焼装置であって、前記燃料オイル用サブタンク装置として、本発明の第１の側面により提供される燃料オイル用サブタンク装置が用いられていることを特徴としている。
【００２１】
このような構成によれば、本発明の第１の側面により提供される燃料オイル用サブタンク装置について述べたのと同様な効果が得られる。
【００２２】
本発明の好ましい実施の形態においては、前記オイルセンサによってオイル検出がなされたときに、前記オイル燃焼器の燃焼駆動を停止させるとともに、その旨を報知手段により報知させる制御手段を備えている。
【００２３】
このような構成によれば、燃料オイル漏れが発生しているにも拘わらず、その後もオイル燃焼器の燃焼駆動が不当に継続されることがなくなる。また、ユーザは、報知手段の報知動作に基づき、燃料オイル漏れの発生の旨を的確に察知することが可能となる。
【００２４】
本発明の好ましい実施の形態においては、前記オイルセンサによってオイル検出がなされたときに、前記メインタンクから前記燃料オイル用サブタンク装置への燃料オイルの供給を遮断する遮断弁を備えている。
【００２５】
このような構成によれば、燃料オイル漏れを早期に止めることができ、オイル漏れに起因する被害を小さくするのに好適となる。
【００２６】
本発明のその他の特徴および利点は、添付図面を参照して以下に行なう発明の実施の形態の説明から、より明らかになるであろう。
【発明を実施するための最良の形態】
【００２７】
以下、本発明の好ましい実施の形態について、図面を参照して具体的に説明する。
【００２８】
図１は、本発明が適用された給湯装置の一例を示している。本実施形態の給湯装置Ａは、オイル逆燃焼式であり、給湯装置本体部１、制御部１９、外装ケース１７、燃料オイル用サブタンク装置Ｂ（以下、単に「サブタンク装置Ｂ」という）、およびポンプＰ１を備えている。
【００２９】
外装ケース１７の外部には、灯油などの燃料オイルを貯留するメインタンク２０が設置されている。ポンプＰ１は、このメインタンク２０とサブタンク装置Ｂとのそれぞれに配管２１ａ，２１ｂを介して接続されており、メインタンク２０内の燃料オイルをサブタンク装置Ｂに供給するのに利用される。配管２１ａ，２１ｂの一方には、メインタンク２０からサブタンク装置Ｂに対する燃料オイル供給を強制的に停止させるための遮断弁２２が設けられている。サブタンク装置Ｂは、給湯装置本体部１のオイル燃焼器１２に対して配管２１ｃを介して接続されたポンプＰ２を備えており、このポンプＰ２の駆動により、オイル燃焼器１２に燃料オイルが供給されるようになっている。サブタンク装置Ｂは、オイル燃焼器１２に接近して配置されるように、外装ケース１７の一側壁１７ａの上部寄りの位置に取り付けられている。サブタンク装置Ｂの詳細な構造については、後述する。
【００３０】
給湯装置本体部１は、従来既知の逆燃式給湯装置と同様な構成であり、送風ファン１０を利用して缶体１１内にその上方から下向きに燃焼用空気を供給させながら、オイル燃焼器１２によって燃料オイルを下向きに燃焼させるようになっている。オイル燃焼器１２の下方に進行した燃焼ガスは、１次および２次の熱交換器１３Ａ，１３Ｂをそれぞれ通過し、それらの水管１３０Ａ，１３０Ｂによって前記燃焼ガスから顕熱および潜熱が回収されるようになっている。熱回収を終えた燃焼ガスは、排気ダクト１４内を通過して排気口１４ａに到達し、この部分から排ガスとして外装ケース１７の外部に排出される。排気ダクト１４の一部分は、吸音材（図示略）が内装された消音器として構成され、排気騒音が低減されるようになっている。水管１３０Ａ，１３０Ｂは、入水口１３１および出湯口１３２に接続されており、入水口１３１に供給された水が２次の熱交換器１３Ｂおよび１次の熱交換器１３Ａを順次通過することにより湯が生成され、この湯が出湯口１３２から所望の給湯先に供給されるようになっている。
【００３１】
制御部１９は、室内などに設置される操作用リモコン１８と通信接続されており、このリモコン１８によって設定された目標給湯温度の湯が出湯口１３２から出湯するように、この給湯装置Ａの各部の動作制御や各種の信号処理制御を行なう。また、この制御部１９は、サブタンク装置Ｂにおいて燃料オイル漏れが発生したときには、後述するように、所定の動作制御を行なうように構成されている。
【００３２】
次に、図２〜図６を参照して、サブタンク装置Ｂの構成について詳述する。
【００３３】
図２〜図４によく表われているように、このサブタンク装置Ｂは、オイルタンク３、蓋体４、保護ケース５、およびオイルセンサ６を備えている。オイルタンク３、蓋体４、および保護ケース５は、いずれも金属板をプレス加工するなどして形成されている。それらの材質の一例を挙げると、たとえばオイルタンク３は銅製であり、蓋体４および保護ケース５はステンレス製である。なお、保護ケース５は、板状のベース部材５０に、これとは別体に形成された枠状部材５１を組み付けた構成とされている。
【００３４】
オイルタンク３は、底部およびこの底部から起立した側壁部を有し、かつ上部が開口した略バスタブ状である。前記側壁部の上部には、略水平方向に突出するフランジ部３０が形成されており、かつこのフランジ部３０の先端周縁には、上向きの起立壁３１が連設されている。図３によく表われているように、フランジ部３０は、このオイルタンク３の上部の外周縁の全周にわたって連続して形成されている。起立壁３１も、基本的にはフランジ部３０の外周の全周にわたって形成されているが、その一部は切り欠かれており、漏出燃料オイル用の流出口３２が設けられている。この流出口３２は、蓋体４上から流れてきた漏出燃料オイルをこのオイルタンク３上から流出させて、後述するオイル検出用の受け部材７に導くための部分である。
【００３５】
蓋体４は、オイルタンク３の上部開口部を塞ぐとともに、オイルタンク３への燃料オイルの流出入用の機器・部品類を支持する役割を果たす。この蓋体４は、略矩形の平板状の板状部４０と、この板状部４０の外周縁を上向きに折り曲げて形成された起立壁４１とを有している。この起立壁４１は、本発明でいう追加の起立壁の一例に相当する。板状部４０は、オイルタンク３のフランジ部３０上に載せられて支持され、かつ複数のネジ体９０を利用してフランジ部３０に取り付けられている。
【００３６】
蓋体４の板状部４０には、先に述べたポンプＰ２に加えて、液面レベルレンサＳ１が取り付けられ、また燃料オイルを供給してくる配管２１ｂの一端を挿入させて取り付けるための燃料オイル導入口４２も設けられている。ポンプＰ２は、その本体部９１ａが板状部４０上に載せられてネジ止めされているが、オイルタンク３内の燃料オイルを吸入してオイル燃焼器１２に送ることができるように、その吸入管９１ｂは板状部４０を貫通してオイルタンク３内に配されている。液面レベルセンサＳ１は、オイルタンク３内の燃料オイルの液面を検出するためのものであり、オイルタンク３内において燃料オイルの液面高さに浮上するフロート９２ｂを備え、このフロート９２ｂが所定の上限および下限高さとなったときにそれに対応した信号出力を行なうように構成されている。この液面レベルセンサＳ１も板状部４０を貫通しており、その上部９２ａが板状部４０上に載せられてネジ止めされている。この液面レベルセンサＳ１により検出される信号は、ポンプＰ１の駆動制御に利用され、燃料オイルが下限高さになるとポンプＰ１が駆動し、かつ上限高さになるとその駆動が停止するようになっている。
【００３７】
蓋体４の起立壁４１は、板状部４０の外周縁の略全周に沿って形成されている。ただし、板状部４０の四隅部分のそれぞれには、上下方向に延びたスリット４２が形成されており、これらスリット４２の存在により、起立壁４１は４つの領域に分離している。各スリッ４２は、蓋体４の板状部４０上に漏出した燃料オイルを板状部４０の外周囲領域に流出させる役割を果たす。オイルタンク３の起立壁３１は、蓋体４の起立壁４１の外周囲を囲むようにして起立している。これら２つの起立壁３１，４１の間には、溝状の隙間４３が形成されている。したがって、蓋体４の板状部４０上の燃料オイルがスリット４２を通過すると、その隙間４３に入り込むが、起立壁３１の存在によりそのままオイルタンク３の外部には零れ落ちないように塞き止められる。ただし、既述したように、この起立壁３１には、流出口３２が形成されており、この流出口３２から受け部材７に向けて燃料オイルは流れることとなる。
【００３８】
保護ケース５は、オイルタンク３の保護ならびに支持、および漏出燃料オイルのガイド機能を果たすものである。この保護ケース５のベース部材５０は、図１に示した外装ケース１７の側壁に固定して取り付けられる部分であり、その上下方向に延びる両側縁部には、外装ケース１７への取り付けを図るための複数のボルト挿通用穴５２ａを有するブラケット部５２Ａ，５２Ｂが形成されている。保護ケース５の枠状部材５１は、ベース部材５０に取り付けられてオイルタンク３を囲む部分である。図３によく表われているように、この枠状部材５１の上面部５３には、オイルタンク３をその上方から内部に収容可能とする開口部５４が形成されており、この開口部５４の周縁部分によってオイルタンク３のフランジ部３０を支持できるようになっている。この枠状部材５１の上面部５３には、先に述べたネジ体９０が螺合するネジ穴５３ａが形成されている。この上面部５３、オイルタンク３のフランジ部３０、および蓋体４の板状部４０の外周縁部分は、上下方向に重ね合わされて、ネジ体９０により連結されている。
【００３９】
枠状部材５１は、オイルタンク３の側壁部を囲む３つの側壁部５５ａ〜５５ｃ、および底部５５ｄを有している。サブタンク装置Ｂは、既述したとおり、オイル燃焼器１２に接近して設けられるために、このオイル燃焼器１２から輻射熱を受けるが、側壁部５５ａ〜５５ｃは、この輻射熱を遮断し、オイルタンク３の昇温防止を図る役割を果たす。また、このように昇温防止が図られれば、その分だけサブタンク装置Ｂをオイル燃焼器１２に接近させることが可能となる。なお、側壁部５５ａ〜５５ｃのうち、たとえば側壁部５５ａがオイル燃焼器１２に対面している場合、この側壁部５５ａが果たす遮熱の役割は大きく、他の側壁部５５ｂ，５５ｃが果たす遮熱の役割は小さい。したがって、これらの側壁部５５ｂ，５５ｃについては、保護ケース５内に通気性をもたせるための開口部などを適宜設けた構成とすることが可能である。保護ケース５内に通気性をもたせれば、オイルタンク３の昇温防止がより適切に図られる。
【００４０】
ベース部材５０に対する枠状部材５１の組み付け構造を簡単に説明する。図５によく表われているように、ベース部材５０には、いわゆる切り起こし加工により形成された上下一対の係止片５６ａ，５６ｂが形成されている。係止片５６ｂには、枠状部材５１の底部５５ｄから下向きに突出する突出片５７ａが係止している。また、係止片５６ａには、蓋体４の起立壁４１が係止している。既述したように、枠状部材５１、オイルタンク３、および蓋体４の三者は、複数のネジ体９０を用いて互いに連結固定されているために、蓋体４および枠状部材５１のそれぞれの一部を一対の係止片５６ａ，５６ｂに係止させれば、前記三者をベース部材５０に支持させることが可能である。このような係止は、一対の係止片５６ａ，５６ｂに対して起立壁４１および突出片５７ａを図５の紙面と直交する方向にスライドさせることにより行なうことが可能である。このようなスライド方式を採用すれば、サブタンク装置Ｂを外装ケース１７に取り付ける場合、まずベース部材５０を単独で外装ケース１７に固定させておいてから、その後前記三者をこのベース部材５０に組み付ければよく、その作業が容易となる。また、メンテナンス時においても、ベース部材５０を外装ケース１７に固定させたまま、前記三者を取り外すことが可能となり、やはりその作業は容易となる。なお、一対の係止片５６ａ，５６ｂを利用した支持だけでは、前記スライド方向への固定が図られないため、これを補助するための手段として、たとえばベース部材５０には蓋体４側に突出するブラケット５７が設けられ、かつこのブラケット５７がネジ体９０ａを用いて蓋体４の起立壁４１にネジ止めされた構造が用いられている。
【００４１】
図６によく表われているように、オイルセンサ６は、センサホルダ６９を利用して受け部材７に装着される。オイルセンサ６としては、従来より既知のものを用いることが可能であり、たとえばオイル透過用のケーシング６０内にオイルが流入すると、このケーシング６０内に収容されているシリコーン樹脂パウダなどのオイル膨潤物質の体積が増加して、このケーシング６０内の可動部材６１が上昇するようになっている。そして、この可動部材６１の上昇は、検知本体部６２により検出されるようになっている。センサホルダ６９および受け部材７は、たとえばステンレス鋼板をプレス加工するなどして形成されたものであり、センサホルダ６９は、上下両端が開口した筒状である。このセンサホルダ６９の上部に形成された一対の支持片６９ａ上には、オイルセンサ６の上部の基部６３が載せられ、この部分がネジ止めされることにより、センサホルダ６９へのオイルセンサ６の組み付けが図られている。
【００４２】
受け部材７は、底部７０から起立した一対の側壁部７１ａ，７１ｂを有している。センサホルダ６９は、その上部に設けられている一対の係止片６９ｂが一対の側壁部７１ａ，７１ｂの上端に係止されているとともに、下部に設けられた略水平状の一対の突出片６９ｃが一対の側壁部７１ａ，７１ｂの下部の切り込み部７２に係入するようにセットされる。この係止構造により、センサホルダ６９は受け部材７に位置決め保持されている。このような構成によれば、ボルト止めなどを行なうことなく、センサホルダ６９を受け部材７に取り付けることが可能となり、その組み立て作業が容易である。側壁部７１ａの先端部には、蓋体４の起立壁４１に係合する下端開口の切り込み部７３が設けられており、また側壁部７１ｂの先端部には、ネジ体９０ｂを用いて蓋体４の起立壁４１との固定連結を図るためのブラケット片部７４が設けられている。この構造により、受け部材７は、蓋体４や保護ケース５の一側方に位置するようにして、蓋体４の起立壁４１に固定して取り付けられている。
【００４３】
図４によく表われているように、受け部材７の底部７０の一部は、保護ケース５に設けられた切欠き部５８内に進入し、オイルタンク３の起立壁３１に設けられた流出口３２の下方に位置している。この構造により、流出口３２から排出された燃料オイルは、受け部材７の底部７０によって受けられることとなる。底部７０は、その周囲が起立した受け皿状となっており、その外周囲の各所から燃料オイルがそのまま下方には流れ落ちないようになっている。ただし、底部７０には、この底部７０に流入してきた燃料オイルを保護ケース５内に向けて流れ落とすための切欠き部７５が形成されている。保護ケース５の底部５５ｄは、切欠き部７５から流れ落ちてきた燃料オイルを受けることが可能に形成されている。そして、この保護ケース５のベース部材５０には、底部５５ｄによって受けた燃料オイルを保護ケース５の外部に排出させるための排出口５９が設けられている。図１に示すように、排出口５９には、この排出口５９から排出される燃料オイルを回収用容器９９に導くための配管２９が接続されている。
【００４４】
次に、前記したサブタンク装置Ｂ、およびこれを備えた給湯装置Ａの作用について説明する。
【００４５】
まず、図１において、給湯装置Ａの通常の運転時には、サブタンク装置ＢのポンプＰ２が駆動することにより、オイルタンク３内の燃料オイルがオイル燃焼器１２に供給される。オイルタンク３内の燃料オイルが所定量以下に減少すると、これが液面レベルセンサＳ１によって検出され、ポンプＰ１が駆動する。これにより、メインタンク２０からサブタンク装置Ｂのオイルタンク３に燃料オイルが供給され、その補充がなされる。サブタンク装置Ｂは、オイル燃焼器１２に接近して設けられており、それらを連結する配管２１ｃが短いために、このサブタンク装置Ｂからオイル燃焼器１２に対する燃料供給量は、ポンプＰ２の駆動量に対して正確に対応したものとなり、燃焼火力の制御が適正に行なえることとなる。サブタンク装置Ｂは、オイル燃焼器１２から輻射熱を受けるが、この輻射熱は保護ケース５により遮断され、オイルタンク３の昇温防止が図られる点は、先に述べたとおりである。
【００４６】
次いで、前記したような給湯装置Ａの運転時において、たとえば液面レベルセンサＳ１、あるいはポンプＰ１の制御系統に故障を生じるなどして、ポンプＰ１が適正に停止しない事態が発生し得る。この場合、オイルタンク３から燃料オイルが溢れることとなるが、この燃料オイルは、蓋体４の上面に漏出することとなる。この点を、図４を参照して説明する。すなわち、このサブタンク装置Ｂにおいては、オイルタンク３内の燃料オイルがポンプＰ２によって吸入される際に、オイルタンク３内が負圧にならないように、蓋体４には通気性がもたされている。この通気性は、たとえば蓋体４に液面レベルセンサＳ１やポンプＰ２を組み付ける際にそれらと蓋体４との間に微小な隙間が形成されるようにして確保されている。もちろん、これとは異なり、通気用の孔部（図示略）を別途設けた構成とすることもできる。したがって、オイルタンク３内の燃料オイルの液面が異常上昇した場合には、たとえば矢印Ｎ１に示すように、燃料オイルは前記隙間を通過して蓋体４の板状部４０の上面に漏出することとなる。また、矢印Ｎ１’に示すように、配管２１ｂの連結部の隙間から蓋体４上に漏出する場合もある。
【００４７】
蓋体４の板状部４０上に漏出した燃料オイルは、その外周縁に向けて流れ、起立壁４１の形成箇所に到達する。次いで、前記燃料オイルは、起立壁４１に形成されている４つのスリット４２のいずれかの部分を矢印Ｎ２に示すように通過し、２つの起立壁３１，４１間の隙間４３に流れ込む。起立壁３１は、前記燃料オイルがオイルタンク３の外周縁から下方に向けてそのまま流れ落ちることを適切に防止する役割を果たし、サブタンク装置Ｂの下方領域が漏出した燃料オイルによって汚染されないようにすることができる。隙間４３に流れ込んだ燃料オイルは、その後矢印Ｎ３に示すように、流出口３２から受け部材７の底部７０上に流れ落ちる。すると、オイルセンサ６は、その燃料オイルを検出して検出信号を出力することとなり、このことによってサブタンク装置Ｂに燃料オイル漏れが生じている旨が察知できることとなる。燃料オイル漏れの検出は、蓋体４上に漏出した燃料オイルがオイルタンク３の側方に設けられている受け部材７に導かれた時点で行なわれる。したがって、燃料オイル漏れの検出を早期に行なわせることができ、それだけ燃料オイル漏れに対する対応策も早期に採り得ることとなる。
【００４８】
また、このサブタンク装置Ｂでは、蓋体４上に燃料オイルが漏出すると、これが受け部材７に確実に導かれてオイルセンサ６により検出される。したがって、蓋体４上に燃料オイルが漏出する状態の燃料オイル漏れであれば、いずれの部分が故障であるかには関係なく、そのようなオイル漏れの全てを検出することが可能となる。さらに、オイル漏れ検出は、オイルタンク３から蓋体４上に燃料オイルが漏出するものに限らない。たとえば、ポンプＰ２の連結配管２１ｃの連結部２１０において燃料オイル漏れが発生した場合であっても、この燃料オイルが蓋体４上に流れ落ちることにより、その後オイルセンサ６により適切に検出される。このように、このサブタンク装置Ｂによれば、蓋体４の上部を漏出燃料オイルのいわば収集用の受け皿として機能させ、たとえばオイルタンク３とは異なる部分において発生した燃料オイル漏れを検出するのにも利用することができる。
【００４９】
オイルセンサ６が検出信号を出力すると、制御部１９は、これを受信した時点で、直ちにオイル燃焼器１２の燃焼駆動を強制的に停止させる制御を実行する。その際、サブタンク装置ＢのポンプＰ２も停止させる。また、ポンプＰ１についても停止させる制御を実行するが、サブタンク装置Ｂに燃料オイル漏れが発生している場合においては、ポンプＰ１が故障している可能性が高い。このため、制御部１９は、遮断弁２２を閉動作とし、メインタンク２０からサブタンク装置Ｂへの燃料オイルの供給を強制的に停止させる。これにより、その後もサブタンク装置Ｂにおいて燃料オイル漏れが継続して発生することが無くなる。さらに、制御部１９は、前記した制御に加え、リモコン１８に対し、燃料オイル漏れが発生した旨をユーザに知らせるための画面表示、ランプ表示、音声の発生、あるいはアラーム鳴動などの報知動作を行なわせる旨の指示を行なう。この報知動作により、ユーザは、その旨を的確に察知し、メンテナンス業者に連絡するなどの対応策を的確に採ることができる。
【００５０】
図４において、受け部材７に受けられた燃料オイルは、矢印Ｎ４に示すように、切欠き部７５から保護ケース５内に流入し、その底部５５ｄによって受けられる。次いで、この燃料オイルは、矢印Ｎ５に示すように、排出口５９から配管２１ｄに流れ込み、最終的には、回収用容器９９に収容される。このようにすれば、給湯装置Ａの各部が漏出燃料オイルによって汚染されないようにすることができる。また、漏出燃料オイルの回収作業も容易となる。漏出燃料オイルを回収用容器９９に導く手段として、保護ケース５が有効に利用されているために、全体の部品点数の増加を抑制する効果も得られる。
【００５１】
なお、本実施形態の給湯装置Ａでは、既述したとおり、燃料オイル漏れの検出は早期になされ、かつその検出がなされた時点で直ちに遮断弁２２が閉じられるなどの対応措置が採られるために、燃料オイル漏れ量を少なくすることができる。したがって、漏出燃料オイルを回収用容器９９に回収させることに代えて、たとえば排出口５９から排出される漏出燃料オイルを外装ケース１７の側壁部１７ａに沿わせて垂れ流すようにしてもよい。このようにしても、その垂れ流れ量はごく僅かであり、実害は殆どない。
【００５２】
図７〜図９は、本発明の他の実施形態を示している。なお、これらの図において、前記実施形態と同一または類似の要素には、前記実施形態と同一の符号を付している。
【００５３】
図７に示す構成においては、ポンプＰ２の連結配管２１ｄの管体接続部２１１が、蓋体４の直上領域から離れた箇所に位置している。これに対し、蓋体４には、この蓋体４上から管体接続部２１１の下方まで延びるガイド部材４８が取り付けられている。
【００５４】
このような構成によれば、管体接続部２１１に燃料オイル漏れが生じると、この燃料オイルはガイド部材４８を伝わって蓋体４上に導かれる。このようにして蓋体４上に燃料オイルが導かれると、その後は既述したようにオイルセンサ６によって前記燃料オイルが検出される。このように、本発明では、蓋体４に燃料オイル用のガイド部材を設けて、燃料オイル漏れ検出を行なう構成とすることもできる。
【００５５】
図８に示す構成においては、オイル燃焼器１２に対する配管２１ｃの連結部分ｎ１の下方から蓋体４上にわたって第１のガイド部材４８Ａが架け渡されるようにして設けられている。このガイド部材４８Ａは、連結部分ｎ１において燃料オイル漏れが万一生じた場合に、この燃料オイルを受けてから蓋体４上にガイドする役割を果たす。また、保護ケース５の下には、第２のガイド部材４８Ｂが設けられている。この第２のガイド部材４８Ｂは、蓋体４上に漏出した燃料オイルが蓋体４上やオイルタンク３上からその外周に向けて万一溢れた場合に、この燃料オイルを受けて外装ケース１７の排出孔１７０などの適当な箇所にガイドする役割を果たすものである。このような構成によれば、サブタンク装置Ｂの下方領域が漏出燃料オイルによって汚染されることがより徹底して防止されることとなり、ユーザに大きな安心感が与えられることとなる。
【００５６】
図９に示す構成においては、蓋体４が単なる平板状であり、起立壁４１に相当する部分を有していない。このような構成であっても、オイルタンク３の起立壁３１によって蓋体４上に漏出した燃料オイルを適切に塞き止めることが可能であり、図１〜図６に示した実施形態と同様な作用を得ることが可能である。
【００５７】
また、図９においては、流出口３２が起立壁３１に設けられておらず、オイルタンク３のフランジ部３０に貫通した貫通孔として形成されている。このような構成であっても、やはり起立壁３１に流出口３２を設けた場合と同様な作用が得られる。なお、起立壁３１に流出口３２を形成する場合、起立壁３１の高さ方向の全体を切欠く構成、起立壁３１の上縁部寄りを切欠く構成、起立壁３１の高さ方向中間部または下部に非切欠き状の貫通孔を形成する構成のいずれを採用してもよい。
【００５８】
本発明は、上述した実施形態に限定されない。本発明に係る燃料オイル用サブタンク装置、および燃焼装置の各部の具体的な構成は、種々に設計変更自在である。
【００５９】
オイルタンクは、燃料オイルを収容可能な上部開口状であればよく、その具体的な形状、サイズ、材質などは限定されない。蓋体は、オイルタンクの上部開口部を塞ぐものであるが、必ずしも前記上部開口部の全体を覆う必要はない。また、蓋体には、オイルタンクに対する燃料オイルの流出入を行なわせるための機器類、あるいは部品類などが設けられるが、それらの具体的な種類なども限定されない。
【００６０】
オイルセンサは、燃料オイルの検出機能を有していればよく、燃料オイルを検出するための原理や具体的な構造なども限定されない。また、オイルセンサは、適当なブラケットを用いてオイルタンクや蓋体に取り付けることが好ましものの、やはりこれに限定されず、オイルタンクや蓋体とは分離したかたちでその取り付けが図られていてもよい。
【００６１】
本発明に係る燃焼装置は、給湯装置に限定されない。本発明は、オイル燃焼器を備えた燃焼装置全般に広く適用することが可能である。また、燃焼方式は、逆燃式に限定されず、たとえば燃料オイルを上向きに燃焼させる正燃式とすることができることは言うまでもない。
【図面の簡単な説明】
【００６２】
【図１】本発明が適用された給湯装置の一例を示す説明図である。
【図２】本発明が適用された燃料オイル用サブタンク装置の一例を示す斜視図である。
【図３】図２に示す燃料オイル用サブタンク装置の分解斜視図である。
【図４】図２に示す燃料オイル用サブタンク装置の断面図である。
【図５】図４のＶ−Ｖ断面図である。
【図６】図２に示す燃料オイル用サブタンク装置のオイルセンサ取り付け部分の分解斜視図である。
【図７】本発明の他の例を示す要部断面図である。
【図８】本発明の他の例を示す要部断面図である。
【図９】本発明の他の例を示す要部概略断面図である。
【符号の説明】
【００６３】
Ａ            給湯装置（燃焼装置）
Ｂ            燃料オイル用サブタンク装置
Ｐ１，Ｐ２    ポンプ
Ｓ１          液面レベルセンサ
３            オイルタンク
４            蓋体
５            保護ケース
６            オイルセンサ
７            受け部材
１２          オイル燃焼器
１８          リモコン（報知手段）
１９          制御部
２０          メインタンク
２２          遮断弁
３１          起立壁（オイルタンクの）
３２          流出口
４０          板状部（蓋体の）
４１          起立壁（追加の起立壁）
５９          排出口
【図１】
2006275406.tif 000003
【図２】
2006275406.tif 000004
【図３】
2006275406.tif 000005
【図４】
2006275406.tif 000006
【図５】
2006275406.tif 000007
【図６】
2006275406.tif 000008
【図７】
2006275406.tif 000009
【図８】
2006275406.tif 000010
【図９】
2006275406.tif 000011